(57)【要約】【課題】  交通機関の座席占有権を確保した者が好条件で他者に当該占有権を譲渡するオークション方式を得る。【解決手段】  会員Ａが入手した通勤電車の座席占有権を、どの駅間で譲渡可能かを、各会員の利用者端末からネットワークを介して閲覧可能な運営会社サーバのＵＲＬ（ファイル）上に掲載する。そして、途中駅から乗車し、会員Ａが入手した座席占有権を譲り受けたい他の会員Ｂ，Ｃは、例えば、週単位や月単位の指定料金を提示して、座席占有権の譲受希望を出す。会員Ａはこの譲受希望のなかから採光の金額を提示した会員Ｂを選択し当該占有権を譲渡する。従って、会員Ａは始発駅で確保した席を会員Ｂが乗車する駅で、会員Ｂに譲渡することで、指定席占有権を苦労して得た会員には、収入となってインセンティブが生じ、他の会員は通勤時に座ることができ、一挙両得となる。【選択図】      図４
2005128661.tif 000002
【特許請求の範囲】
【請求項１】
第１の利用者端末において、第１の利用者が占有する指定席に関し他者に譲渡可能な駅間情報を含む譲渡希望情報を生成して、利用者端末からネットワークを介して閲覧可能なサーバのファイルに、前記情報を掲載するステップと、
第２の利用者端末において、前記ファイルの掲載情報を参照して、希望着席駅間情報及び支払金額の上限を示す譲受希望情報を生成して前記サーバへ送信するステップと、
前記第１の利用者端末において、前記サーバのファイルにおける前記譲受希望情報に基づいて前記第１の利用者により選択された譲受希望者の利用者端末へ、譲渡する旨を通知するステップと、
を含むことを特徴とする指定席オークション方法。
【請求項２】
前記第１の利用者端末における前記譲受希望者の選択は、最高額を提示した者であることを特徴とする請求項１記載の指定席オークション方法。
【請求項３】
前記第１及び第２の利用者端末間の通信は、電子メールによりなされることを特徴とする請求項１または２記載の指定席オークション方法。
【請求項４】
第１の利用者端末に設けられ、第１の利用者が占有する指定席に関し他者に譲渡可能な駅間情報を含む譲渡希望情報を生成して、利用者端末からネットワークを介して閲覧可能なサーバのファイルに、前記情報を掲載する手段と、
第２の利用者端末に設けられ、前記ファイルの掲載情報を参照して、希望着席駅間情報及び支払金額の上限を示す譲受希望情報を生成して前記サーバへ送信する手段と、
前記第１の利用者端末に設けられ、前記サーバのファイルにおける前記譲受希望情報に基づいて前記第１の利用者により選択された譲受希望者の利用者端末へ譲渡す旨を通知する手段と、
を含むことを特徴とする指定席オークションシステム。
【請求項５】
前記第１の利用者端末における前記譲受希望者の選択は、最高額を提示した者であることを特徴とする請求項４記載の指定席オークションシステム。
【請求項６】
前記第１及び第２の利用者端末間の通信は、電子メールによりなされることを特徴とする請求項４または５記載の指定席オークションシステム。
【請求項７】
複数の利用者間で指定席の譲渡をサーバを介してなすオークションシステムにおける利用者端末であって、
利用者が占有する指定席に関し他者に譲渡可能な駅間情報を含む譲渡希望情報を生成して、利用者端末からネットワークを介して閲覧可能なサーバのファイルに、前記情報を掲載する手段と、
前記サーバのファイルにおける前記指定席の譲受希望情報に基づいて前記利用者により選択された譲受希望者の利用者端末へ譲渡す旨を通知する手段と、
を含むことを特徴とする利用者端末。
【請求項８】
前記通知する手段は、電子メールによるものであることを特徴とする請求項７記載の利用者端末。
【請求項９】
複数の利用者間で指定席の譲渡をサーバを介してなすオークションシステムにおける利用者端末であって、
他者が占有する指定席に関して譲渡可能な駅間情報を含む譲渡希望情報をネットワークを介してサーバのファイルから閲覧して、希望着席駅間情報及び支払金額の上限を示す譲受希望情報を生成して前記サーバへ送信する手段を含むことを特徴とする利用者端末。
【請求項１０】
複数の利用者間で指定席の譲渡をサーバを介してなすオークションシステムにおける利用者端末の動作をコンピュータにより実行させるためのプログラムであって、
利用者が占有する指定席に関し他者に譲渡可能な駅間情報を含む譲渡希望情報を生成して、利用者端末からネットワークを介して閲覧可能なサーバのファイルに、前記情報を掲載する処理と、
前記サーバのファイルにおける前記指定席の譲受希望情報に基づいて前記利用者により選択された譲受希望者の利用者端末へ譲渡す旨を通知する処理と、
を含むことを特徴とするプログラム。
【請求項１１】
複数の利用者間で指定席の譲渡をサーバを介してなすオークションシステムにおける利用者端末の動作をコンピュータにより実行させるためのプログラムであって、
他者が占有する指定席に関して譲渡可能な駅間情報を含む譲渡希望情報をネットワークを介してサーバのファイルから閲覧して、希望着席駅間情報及び支払金額の上限を示す譲受希望情報を生成して前記サーバへ送信する手段を含むことを特徴とするプログラム。
【発明の詳細な説明】
【技術分野】
【０００１】
本発明は指定席オークション方法及びそれを用いたシステム並びにそれに用いる利用者端末に関し、特に鉄道などの交通機関における指定座席のオークション方式に関するものである。
【背景技術】
【０００２】
従来より、企業は都市部に集中する傾向があり、また、都市部に住居を構えることは経済的にも難しく、よって自宅と企業との間で遠距離通勤を行う通勤者が増加している。これに伴って、通勤時の公共交通機関は慢性的に混雑するようになっており、交通機関の座席に座って通勤できる通勤者は極めて限られた者となる。
【０００３】
そこで、交通機関の座席指定券を確保した者が、他の者に対してその占有座席を所定条件で譲渡する旨の情報を、情報処理端末を用いて送信し、両者で互いに条件を交渉して、交渉が成立すると、当該占有座席を当該他の者へ譲るシステムが提案されている（特許文献１参照）。
【特許文献１】特開２００３−９９６５４号公報
【発明の開示】
【発明が解決しようとする課題】
【０００４】
上記の特許文献１のシステムにおいては、占有座席を有する者（譲渡希望者）と占有座席を譲受希望する者（譲受希望者）との間の端末同士で、直接交渉を行って、交渉成立した譲受希望者に対して、当該占有席を譲る方式であるから、譲受希望者が一人や二人の少数の場合は問題ないが、多数の譲受希望者が存在した場合には、譲渡希望者の端末へ譲受申込みの情報が殺到することになり、対処が困難となり、実現が難しくなるという問題がある。
【０００５】
また、上記特許文献１においては、譲渡希望者と譲受希望者との間における条件交渉に関しては、例えばポイント制を採用して座席の占有の譲渡と引換えにポイント数の交渉を行う方法や、相手の個人情報（例えば、高齢者、身体に障害を有する者、妊婦、幼児同伴者などの情報）を基に、優先的に座席を譲る方法が示されている。この様な方法では、座席指定券を苦労して入手したにもかかわらず、何等の報酬もなく他人に譲渡することになり、特に入手し難い人気のある座席指定券を苦労して入手した甲斐がなく、その労力に対して全く報われないという欠点がある。
【０００６】
本発明の目的は、入手した指定座席の占有権を他者に譲渡する際に、最も高い金額を提示した譲受希望者に対して譲渡するようにした指定席オークション方法及びそのシステム並びにそれに用いる利用者端末を提供することである。
本発明の他の目的は、入手した指定座席の占有権を他の者に譲渡する際に、譲受希望者が多数存在しても、繁雑さを伴うことがない指定席オークション方法及びそのシステム並びにそれに用いる利用者端末を提供するこである。
【課題を解決するための手段】
【０００７】
本発明による指定席オークション方法は、第１の利用者端末において、第１の利用者が占有する指定席に関し他者に譲渡可能な駅間情報を含む譲渡希望情報を生成して、利用者端末からネットワークを介して閲覧可能なサーバのファイルに、前記情報を掲載するステップと、第２の利用者端末において、前記ファイルの掲載情報を参照して、希望着席駅間情報及び支払金額の上限を示す譲受希望情報を生成して前記サーバへ送信するステップと、前記第１の利用者端末において、前記サーバのファイルにおける前記譲受希望情報に基づいて前記第１の利用者により選択された譲受希望者の利用者端末へ、譲渡す旨通知するステップとを含むことを特徴とする。
【０００８】
本発明による指定席オークションシステムは、第１の利用者端末に設けられ、第１の利用者が占有する指定席に関し他者に譲渡可能な駅間情報を含む譲渡希望情報を生成して、利用者端末からネットワークを介して閲覧可能なサーバのファイルに、前記情報を掲載する手段と、第２の利用者端末に設けられ、前記ファイルの掲載情報を参照して、希望着席駅間情報及び支払金額の上限を示す譲受希望情報を生成して前記サーバへ送信する手段と、前記第１の利用者端末に設けられ、前記サーバのファイルにおける前記譲受希望情報に基づいて前記第１の利用者により選択された譲受希望者の利用者端末へ譲渡す旨通知する手段とを含むことを特徴とする。
【０００９】
本発明による利用者端末は、複数の利用者間で指定席の譲渡をサーバを介してなすオークションシステムにおける利用者端末であって、利用者が占有する指定席に関し他者に譲渡可能な駅間情報を含む譲渡希望情報を生成して、利用者端末からネットワークを介して閲覧可能なサーバのファイルに、前記情報を掲載する手段と、前記サーバのファイルにおける前記指定席の譲受希望情報に基づいて前記利用者により選択された譲受希望者の利用者端末へ譲渡す旨通知する手段とを含むことを特徴とする。
【００１０】
本発明による他の利用者端末は、複数の利用者間で指定席の譲渡をサーバを介してなすオークションシステムにおける利用者端末であって、他者が占有する指定席に関して譲渡可能な駅間情報を含む譲渡希望情報をネットワークを介してサーバのファイルから閲覧して、希望着席駅間情報及び支払金額の上限を示す譲受希望情報を生成して前記サーバへ送信する手段を含むことを特徴とする。
【００１１】
本発明によるプログラムは、複数の利用者間で指定席の譲渡をサーバを介してなすオークションシステムにおける利用者端末の動作をコンピュータにより実行させるためのプログラムであって、利用者が占有する指定席に関し他者に譲渡可能な駅間情報を含む譲渡希望情報を生成して、利用者端末からネットワークを介して閲覧可能なサーバのファイルに、前記情報を掲載する処理と、前記サーバのファイルにおける前記指定席の譲受希望情報に基づいて前記利用者により選択された譲受希望者の利用者端末へ譲渡す旨通知する処理とを含むことを特徴とする。
【００１２】
本発明による他のプログラムは、複数の利用者間で指定席の譲渡をサーバを介してなすオークションシステムにおける利用者端末の動作をコンピュータにより実行させるためのプログラムであって、他者が占有する指定席に関して譲渡可能な駅間情報を含む譲渡希望情報をネットワークを介してサーバのファイルから閲覧して、希望着席駅間情報及び支払金額の上限を示す譲受希望情報を生成して前記サーバへ送信する手段を含むことを特徴とする。
【００１３】
本発明の作用を述べる。始発駅近くの会員Ａが入手した通勤電車の座席占有権を、どの駅間で譲渡可能かをＵＲＬ上に掲載する。そして、途中駅から乗車し、会員Ａが入手した座席占有権を譲り受けたい他の会員は、例えば、週単位や月単位の指定料金を提示して、当該座席の占有権の譲受希望を出す。会員Ａはこの譲受希望のなかから条件の最も良い会員Ｂを選択して、当該占有権を譲渡する。従って、例えば、会員Ａは始発駅で確保した席を会員Ｂが乗車する駅で、会員Ｂに譲渡するようにする。
【発明の効果】
【００１４】
本発明によれば、自己が入手した指定座席の占有権を他者に譲渡する際に、最も高い金額を提示した者に対して譲渡することにより、座席指定券を苦労して入手したことに対するインセンティブを付与することができ、また、新たな収入を得ることができることにともなるという効果がある。また、多数の譲受希望者が殺到しても、譲渡希望者と譲受希望者との間で個々に条件交渉する必要がないので、頻雑さもなくなるという効果がある。
【発明を実施するための最良の形態】
【００１５】
以下に、図面を用いて本発明の実施の形態について詳述する。図１は本発明の実施の形態の概略システム構成図であり、本オークションシステムの会員（利用者であるユーザ）の端末（会員端末と称す）１ａ〜１ｎと、本オークションシステムを運営する運営会社サーバ２とこれ等会員端末１ａ〜１ｎ及び運営会社サーバ２とを接続する通信ネットワーク（例えば、インターネット）３とを含んで構成されている。
【００１６】
図２は会員端末１ａ〜１ｎの機能ブロック図である。図２を参照すると、通信部１１はネットワーク３を介して他の会員端末や運営会社サーバ２との通信を行う機能を有しており、運営会社サーバのＵＲＬ（Uniform Resource Locator）及び各会員端末のメールアドレスによる通信が可能である。
【００１７】
譲渡希望情報生成部１２は、当該会員が始発駅で入手した交通機関の座席占有権を、運営会社サーバ２のＵＲＬのファイルに登録掲載するための情報を生成するものであり、この場合の情報としては、当該座席占有権を譲渡可能な駅間情報を含んでいるものとする。
【００１８】
譲受希望情報生成部１３は、他の会員の譲渡希望に対して、譲受を希望する場合に用いられる機能であって、譲受希望情報としては、自分が座りたい駅間情報と、支払うことができる上限の金額情報とを含んでいるものとする。譲受者選択部１４は、当該会員が譲渡希望した座席占有権に関して、譲受を希望する会員を選択指定する機能を有している。表示／操作部１５は、譲渡希望情報生成部１２や、譲受希望情報生成部１３や、譲受者選択部１４等の情報生成、表示、指示操作をなす機能を有する。
【００１９】
制御部（ＣＰＵ）１６はこれ等各機能部１１〜１５の制御を行うものであり、メモリ部１７に予めプログラムとして格納されている動作手順に従って処理を実行するものである。本オークションシステムの会員に加入する際に、運営会社サーバ２から、本オークションシステムのための動作プログラム及び当該サーバ２のＵＲＬ並びにログインＩＤ（会員を特定する認証用ＩＤ）の提供を受け、メモリ部１７にこれ等を格納することにより、本オークションシステムに参加可能な会員となることができるようになっているものとする。
【００２０】
図３は運営会社サーバ２の機能ブロック図である。図３を参照すると、通信部２１はネットワーク３を介して会員端末１ａ〜１ｎとの通信を行う機能を有している。認証部２２は本サーバ２へアクセスしてきた会員が正当な権利を有する者であるかどうかを認証する機能を有している。データ登録／読出部２３はデータベース部２４に対するデータの登録やデータの読出し制御を行う機能を有している。データベース部２４は本オークションシステムの会員情報（認証用の情報を含む）や会員からの座席占有数の譲渡希望情報等を登録するためのものである。制御部（ＣＰＵ）２５はこれ等各機能２１〜２４の制御を行うものであり、メモリ部２６に予めプログラムとして格納されている動作手順に従って処理を実行するものである。
【００２１】
図４は本発明の実施の形態の動作を示すシーケンス図であり、本例においては、会員Ａが自己の占有する指定席を譲渡希望し、それに対して会員Ｂ，Ｃが譲受希望する場合を説明するものとするが、これに限定されるものではない。また、運営会社サーバ２において、本オークションシステムのＵＲＬを立上げ、各会員に対してこのＵＲＬ及びログインＩＤを、本オークションシステム用アプリケーションプログラムと共にそれぞれ提供するものとする。また、本システムの運営会社は、会員が利用する鉄道会社に対して、本事業開始に際して事前説明を行って事前認証を取付けるものとする。
【００２２】
会員Ａが有する会員（利用者）端末１ａを用いて、会員Ａは始発駅で入手した通勤電車の指定席を、何処の駅から何処の駅まで譲れるかを、各利用者端末から閲覧可能なファイルであるＵＲＬ上に登録して掲載するために、指定席の譲渡可能駅間情報を作成して運営会社サーバ２へ送信する（ステップＳ１）。この情報を受けた運営会社サーバ２では、この送信情報を登録してＵＲＬ上に掲載することになる（ステップＳ２）。なお、このとき、会員Ａが正当な権利を有するものかどうかの認証が行われることは勿論である。
【００２３】
通勤ラッシュの朝に座って通勤を希望する他の会員ＢやＣは、ＵＲＬにアクセスして指定席の譲渡希望情報を閲覧し（ステップＳ３，Ｓ４）、希望する沿線の乗車駅、降車駅を、会員端末１ｂ、１ｃを夫々に用いて、指定し、また同指定席代金の支払い可能な上限額を提示して、譲受希望情報を生成して運営会社サーバ２へ送信する（ステップＳ５）。
【００２４】
運営会社サーバ２では、会員Ｂ，Ｃからの譲受希望情報を登録して（ステップＳ６）、会員Ａの会員端末１ａへ一覧表の形式で送信する（ステップＳ７）。会員Ａは自分の会員端末１ａに表示された譲受希望情報のなかから、最高額を提示している会員（この場合は会員Ｂとする）を選択して、この選択した者の情報を、会員Ｂへ電子メールで送信する（ステップＳ８）。同時に、会員Ｃに対しては、条件が折り合わなかったことを知らせる電子メールが送信されるようにしておくのが良い。この場合の電子メールアドレスは、譲受希望情報に含まれるようにしておくことで、選択操作時に、その電子メールアドレスが自動的に指定されるようにする。
【００２５】
会員Ｂは会員端末１ｂを用いて、指定席を譲受ける旨の通知を、会員Ａの会員端末１ａの電子メールにて送信し（ステップＳ９）、会員Ｂは会員Ａに対して予め定められた契約形態に基づいて、毎月あるいは四半期毎に指定席料金を、会員Ａの指定銀行（郵便）口座に振込むことになる。そして、会員Ａは会員Ｂが乗車次第、始発駅で自身が確保した指定席を会員Ｂへ譲る。なお、運営会社サーバ２における登録情報は更新される必要があり、よって、会員Ａの会員端末１ａから、座席の譲渡済通知情報が送信され（ステップＳ１０）、サーバ２において当該指定席の譲渡済みが登録される（ステップＳ１１）ようにしておくものとする。
【００２６】
図４におけるステップＳ７において、運営会社サーバ２から譲渡希望会員Ａへ譲受希望情報の一覧を送信する場合、サーバ２が自動的に送信するようにしても良いし、会員Ａが会員端末１ａを用いてＵＲＬへアクセスして当該一覧を受信して閲覧するようにしても良いものである。
【００２７】
こうすることにより、始発駅で入手した指定席（座席占有権）を、他の希望する会員に対して、最高金額で提供できることになり、会員Ａは新たな収入を得ることができ、入手困難な指定券の購入者に対するインセンティブが生じることになると共に、他の会員は従来着席できなかった通勤電車で毎日座って通勤できるようになる。
【図面の簡単な説明】
【００２８】
【図１】本発明の実施の形態のシステム概略図である。
【図２】本発明の実施の形態による会員端末の機能ブロック図である。
【図３】本発明の実施の形態による運営会社サーバの機能ブロック図である。
【図４】本発明の実施の形態の動作を示すシーケンス図である。
【符号の説明】
【００２９】
１ａ〜１ｎ  会員端末
２  運営会社サーバ
３  ネットワーク
１１，２１  通信部
１２  譲渡希望情報生成部
１３  譲受希望情報生成部
１４  譲受者選択部
１５  表示／操作部
１６，２５  制御部（ＣＰＵ）
１７，２６  メモリ部
２２  認証部
２３  データベース登録／読出部
２４  データベース部
【図１】
2005128661.tif 000003
【図２】
2005128661.tif 000004
【図３】
2005128661.tif 000005
【図４】
2005128661.tif 000006